(57)【要約】  本発明は、データ複製のデータ量を報告する方法、ユーザ装置、ネットワーク装置及びコンピュータ記憶媒体を提供する。前記方法は、複製データ及び非複製データのデータ量の情報をネットワーク側に送信して報告することを含み、前記複製データ及び非複製データのデータ量の情報は、論理チャネル、論理チャネルグループ、宛先アドレス、宛先アドレス識別子のうちの少なくとも１つを利用して区別される。
2021510981.tif 000002
【特許請求の範囲】
【請求項１】
ユーザ装置に適用されるデータ複製のデータ量を報告する方法であって、
複製データ及び非複製データのデータ量の情報をネットワーク側に送信して報告することを含み、
前記複製データ及び非複製データのデータ量の情報は、論理チャネル、論理チャネルグループ、宛先アドレス、宛先アドレス識別子のうちの少なくとも１つを利用して区別される、前記方法。
【請求項２】
複製データ及び非複製データのデータ量の情報をネットワーク側に送信して報告することは、
無線リソース制御（ＲＲＣ）情報及び／又はＭＡＣ  ＣＥを利用して、複製データ及び非複製データのデータ量の情報をネットワーク側に送信して報告することを含むことを特徴とする
請求項１に記載の方法。
【請求項３】
前記方法は、
複製データと非複製データのデータ量を区別するための異なる宛先アドレス又は異なる宛先アドレス識別子をネットワーク側に報告することを更に含むことを特徴とする
請求項１に記載の方法。
【請求項４】
前記方法は、
異なる宛先アドレス又は宛先アドレス識別子に対応する複製データ及び非複製データの信頼性要件情報をネットワーク側に報告することを更に含むことを特徴とする
請求項１に記載の方法。
【請求項５】
前記信頼性要件情報は、
データが信頼性要件に関連付けられているかどうかどうか、信頼性要件情報の具体的な数値のうちの少なくとも１つを含むことを特徴とする
請求項４に記載の方法。
【請求項６】
複製データ及び非複製データのデータ量の情報をネットワーク側に送信して報告することは、
異なる宛先アドレス、又は異なる宛先アドレス識別子で区別された複製データ及び非複製データのデータ量の情報をネットワーク側に報告することを含むことを特徴とする
請求項１に記載の方法。
【請求項７】
複製データ及び非複製データのデータ量の情報をネットワーク側に送信して報告する前に、前記方法は、
ネットワーク側からの設定情報を受信することを更に含み、
前記設定情報には、前記ネットワーク側が前記端末装置による前記宛先アドレス又は宛先アドレス識別子のデータ複製を許容するかに関する情報が含まれることを特徴とする
請求項１に記載の方法。
【請求項８】
前記方法は、
前記複製データの優先度情報をネットワーク側に報告することを更に含むことを特徴とする
請求項３−７のいずれか一項に記載の方法。
【請求項９】
前記方法は、
前記複製データの論理チャネル又は論理チャネルグループ情報をネットワーク側に報告することを更に含むことを特徴とする
請求項３−７のいずれか一項に記載の方法。
【請求項１０】
前記方法は、
ネットワーク側からの設定情報を受信することを更に含み、
前記設定情報には、ネットワーク側で設定された、複製データ及び非複製データと、異なる論理チャネル又は論理チャネルグループとの対応関係が含まれることを特徴とする
請求項１に記載の方法。
【請求項１１】
前記方法は、
ネットワーク側からの設定情報を受信することを更に含み、
前記設定情報には、ネットワーク側で設定された、異なる論理チャネル又は論理チャネルグループと、データの信頼性要件情報との対応関係が含まれることを特徴とする
請求項１に記載の方法。
【請求項１２】
前記対応関係は、異なる宛先アドレス識別子又は宛先アドレス識別子に対するものであることを特徴とする
請求項１０又は１１に記載の方法。
【請求項１３】
前記信頼性要件情報は、
論理チャネル又は論理チャネルグループが信頼性要件に対応するか、
論理チャネル又は論理チャネルグループに対応する信頼性要件情報の具体的な数値のうちの少なくとも１つを含むことを特徴とする
請求項１１に記載の方法。
【請求項１４】
前記設定情報には、
前記複製データの２つのＲＬＣエンティティにそれぞれ対応する論理チャネル又は論理チャネルグループが更に含まれることを特徴とする
請求項１に記載の方法。
【請求項１５】
前記設定情報には、
異なる論理チャネル、又は異なる論理チャネルグループに対応する優先度情報が更に含まれることを特徴とする
請求項９−１４のいずれか一項に記載の方法。
【請求項１６】
複製データ及び非複製データのデータ量の情報をネットワーク側に送信して報告することは、
複製データのデータ量及び非複製データのデータ量をそれぞれ異なる論理チャネル、異なる論理チャネルグループ、論理チャネル識別子、又は異なる論理チャネルグループ識別子に対応付けて前記ネットワーク側に報告することを含むことを特徴とする
請求項９−１４のいずれか一項に記載の方法。
【請求項１７】
複製データ及び非複製データのデータ量の情報をネットワーク側に送信して報告することは、
複製データの２つのＲＬＣエンティティのデータ量をそれぞれ異なる論理チャネル、異なる論理チャネル識別子、異なる論理チャネルグループ、又は異なる論理チャネルグループ識別子に対応付けて前記ネットワーク側に報告することを含むことを特徴とする
請求項９−１４のいずれか一項に記載の方法。
【請求項１８】
複製データ及び非複製データのデータ量の情報をネットワーク側に送信して報告することは、
予め設定された順番で複製データ及び非複製データのデータ量の情報をネットワーク側に送信して報告することを含み、
前記順番は、
ネットワーク側への複製データのデータ量の情報の報告送信を優先すること、
ネットワーク側への非複製データのデータ量の情報の報告送信を優先すること、
ネットワーク側への複製データ又は非複製データのデータ量の情報の報告送信を優先することを自ら決定することのうちの１つであることを特徴とする
請求項１−１７のいずれか一項に記載の方法。
【請求項１９】
予め設定された順番で複製データ及び非複製データのデータ量の情報をネットワーク側に送信して報告することは
複製データ又は非複製データのデータ量の情報を報告する優先度が同じである場合、予め設定された順番で、複製データ及び非複製データのデータ量の情報をネットワーク側に送信して報告することと、
複製データ又は非複製データのデータ量の情報を報告する優先度が異なる場合、優先度に応じて複製データ及び非複製データのデータ量の情報をネットワーク側に送信して報告することとを含むことを特徴とする
請求項１８に記載の方法。
【請求項２０】
ネットワーク装置に適用されるデータ複製のデータ量を報告する方法であって、
ユーザ装置からの複製データ及び非複製データのデータ量の情報を受信することを含み、
前記複製データ及び非複製データのデータ量の情報は、論理チャネル、論理チャネルグループ、宛先アドレス、宛先アドレス識別子のうちの少なくとも１つを利用して区別される、前記方法。
【請求項２１】
ユーザ装置からの複製データ及び非複製データのデータ量の情報を受信することは、
ＲＲＣ情報及び／又はＭＡＣ  ＣＥにより、ユーザ装置からの複製データ及び非複製データのデータ量の情報を受信することを含むことを特徴とする
請求項２０に記載の方法。
【請求項２２】
前記方法は、
前記ユーザ装置から報告された、複製データと非複製データのデータ量を区別するための異なる宛先アドレス、又は異なる宛先アドレス識別子を受信することを更に含むことを特徴とする
請求項２０に記載の方法。
【請求項２３】
前記方法は、
前記ユーザ装置から報告された、異なる宛先アドレス又は宛先アドレス識別子に対応する複製データ及び非複製データの信頼性要件情報を受信することを更に含むことを特徴とする
請求項２０に記載の方法。
【請求項２４】
前記信頼性要件情報は、
データが信頼性要件に関連付けられているかどうかどうか、信頼性要件情報の具体的な数値のうちの少なくとも１つを含むことを特徴とする
請求項２３に記載の方法。
【請求項２５】
前記方法は、
前記ユーザ装置に設定情報を送信することを更に含み、
前記設定情報には、前記端末装置による前記宛先アドレス又は宛先アドレス識別子のデータ複製を許容するかに関する情報が含まれることを特徴とする
請求項２０に記載の方法。
【請求項２６】
前記方法は、
ユーザ装置からの前記複製データの優先度情報を取得することを更に含むことを特徴とする
請求項２０−２５のいずれか一項に記載の方法。
【請求項２７】
前記方法は、
ユーザ装置からの前記複製データの論理チャネル又は論理チャネルグループ情報を取得することを更に含むことを特徴とする
請求項２０−２５のいずれか一項に記載の方法。
【請求項２８】
前記方法は、
ユーザ装置に設定情報を送信することを更に含み、
前記設定情報には、ネットワーク側で設定された、複製データ及び非複製データと、異なる論理チャネル又は論理チャネルグループとの対応関係が含まれることを特徴とする
請求項２０に記載の方法。
【請求項２９】
前記方法は、
ユーザ装置に設定情報を送信することを更に含み、
前記設定情報には、ネットワーク側で設定された、異なる論理チャネル又は論理チャネルグループと、データの信頼性要件情報との対応関係が含まれることを特徴とする
請求項２０に記載の方法。
【請求項３０】
前記対応関係は、宛先アドレス又は宛先アドレス識別子の相違によって、それぞれ異なることを特徴とする
請求項２８又は２９に記載の方法。
【請求項３１】
前記信頼性要件情報は、
データが信頼性要件に関連付けられているかどうかどうか、
信頼性要件情報の具体的な数値のうちの少なくとも１つを含むことを特徴とする
請求項２９に記載の方法。
【請求項３２】
前記設定情報には、
前記複製データの２つのＲＬＣエンティティにそれぞれ対応する論理チャネル又は論理チャネルグループが更に含まれることを特徴とする
請求項２０に記載の方法。
【請求項３３】
前記設定情報には、
異なる論理チャネル、又は異なる論理チャネルグループに対応する優先度情報が更に含まれることを特徴とする
請求項２８−３２のいずれか一項に記載の方法。
【請求項３４】
ユーザ装置からの複製データ及び非複製データのデータ量の情報を受信することは、
異なる論理チャネル、異なる論理チャネルグループ、論理チャネル識別子、又は異なる論理チャネルグループ識別子にそれぞれ対応付けられる複製データのデータ量及び非複製データのデータ量を受信することを含むことを特徴とする
請求項２８−３２のいずれか一項に記載の方法。
【請求項３５】
ユーザ装置からの複製データ及び非複製データのデータ量の情報を受信することは、
前記複製データの２つのＲＬＣエンティティのデータ量がそれぞれ対応する異なる論理チャネル、異なる論理チャネル識別子、異なる論理チャネルグループ、又は異なる論理チャネルグループ識別子から、前記複製データの２つのＲＬＣエンティティのデータ量を取得することを含むことを特徴とする
請求項２８−３２のいずれか一項に記載の方法。
【請求項３６】
ユーザ装置からの複製データ及び非複製データのデータ量の情報を受信することは、
ユーザ装置から予め設定された順番で送信された、複製データ及び非複製データのデータ量の情報を受信することを含み、
前記順番は、
複製データのデータ量の情報の報告送信を優先すること、
非複製データのデータ量の情報の報告送信を優先すること、
ネットワーク側への複製データ又は非複製データのデータ量の情報の報告送信を優先することを前記ユーザ装置が決定することのうちの１つであることを特徴とする
請求項２０−３５のいずれか一項に記載の方法。
【請求項３７】
ユーザ装置から予め設定された順番で送信された、複製データ及び非複製データのデータ量の情報を受信することは、
複製データ又は非複製データのデータ量の情報を報告する優先度が同じである場合、ユーザ装置から予め設定された順番で送信された複製データ及び非複製データのデータ量の情報を受信することと、
複製データ又は非複製データのデータ量の情報を報告する優先度が異なる場合、ユーザ装置から優先度に応じて報告された複製データ及び非複製データのデータ量の情報を受信することとを含むことを特徴とする
請求項３６に記載の方法。
【請求項３８】
ユーザ装置であって、
複製データ及び非複製データのデータ量の情報をネットワーク側に送信して報告する第１通信ユニットを備え、
前記複製データ及び非複製データのデータ量の情報は、論理チャネル、論理チャネルグループ、宛先アドレス、宛先アドレス識別子のうちの少なくとも１つを利用して区別される、前記ユーザ装置。
【請求項３９】
前記第１通信ユニットは、無線リソース制御（ＲＲＣ）情報及び／又はＭＡＣ  ＣＥを利用して、複製データ及び非複製データのデータ量の情報をネットワーク側に送信して報告することを特徴とする
請求項３８に記載のユーザ装置。
【請求項４０】
前記第１通信ユニットは、複製データと非複製データのデータ量を区別するための異なる宛先アドレス又は異なる宛先アドレス識別子をネットワーク側に報告することを特徴とする
請求項３８に記載のユーザ装置。
【請求項４１】
前記第１通信ユニットは、異なる宛先アドレス又は宛先アドレス識別子に対応する複製データ及び非複製データの信頼性要件情報をネットワーク側に報告することを特徴とする
請求項３８に記載のユーザ装置。
【請求項４２】
前記信頼性要件情報は、
データが信頼性要件に関連付けられているかどうかどうか、信頼性要件情報の具体的な数値のうちの少なくとも１つを含むことを特徴とする
請求項４１に記載のユーザ装置。
【請求項４３】
前記第１通信ユニットは、異なる宛先アドレス、又は異なる宛先アドレス識別子で区別された複製データ及び非複製データのデータ量の情報をネットワーク側に報告することを特徴とする
請求項３８に記載のユーザ装置。
【請求項４４】
前記ユーザ装置は、
前記第１通信ユニットにより、ネットワーク側からの設定情報を受信する第１処理ユニットを更に備え、
前記設定情報には、前記ネットワーク側が前記端末装置による前記宛先アドレス又は宛先アドレス識別子のデータ複製を許容するかに関する情報が含まれることを特徴とする
請求項３８に記載のユーザ装置。
【請求項４５】
前記第１通信ユニットは、前記複製データの優先度情報をネットワーク側に報告することを特徴とする
請求項３８−４４のいずれか一項に記載のユーザ装置。
【請求項４６】
前記第１通信ユニットは、前記複製データの論理チャネル又は論理チャネルグループ情報をネットワーク側に報告することを特徴とする
請求項３８−４４のいずれか一項に記載のユーザ装置。
【請求項４７】
前記ユーザ装置は、
前記第１通信ユニットにより、ネットワーク側からの設定情報を受信する第１処理ユニットを更に備え、
前記設定情報には、ネットワーク側で設定された、複製データ及び非複製データと、異なる論理チャネル又は論理チャネルグループとの対応関係が含まれることを特徴とする
請求項３８に記載のユーザ装置。
【請求項４８】
前記ユーザ装置は、
前記第１通信ユニットにより、ネットワーク側からの設定情報を受信する第１処理ユニットを更に備え、
前記設定情報には、ネットワーク側で設定された、異なる論理チャネル又は論理チャネルグループと、データの信頼性要件情報との対応関係が含まれることを特徴とする
請求項３８に記載のユーザ装置。
【請求項４９】
前記対応関係は、異なる宛先アドレス識別子又は宛先アドレス識別子に対するものであることを特徴とする
請求項４７又は４８に記載のユーザ装置。
【請求項５０】
前記信頼性要件情報は、
データが信頼性要件に関連付けられているかどうか、
信頼性要件情報の具体的な数値のうちの少なくとも１つを含むことを特徴とする
請求項４７に記載のユーザ装置。
【請求項５１】
前記設定情報には、
前記複製データの２つのＲＬＣエンティティにそれぞれ対応する論理チャネル又は論理チャネルグループが更に含まれることを特徴とする
請求項３８に記載のユーザ装置。
【請求項５２】
前記設定情報には、
異なる論理チャネル、又は異なる論理チャネルグループに対応する優先度情報が更に含まれることを特徴とする
請求項４７−５１のいずれか一項に記載のユーザ装置。
【請求項５３】
前記ユーザ装置は、
複製データのデータ量及び非複製データのデータ量をそれぞれ異なる論理チャネル、異なる論理チャネルグループ、論理チャネル識別子、又は異なる論理チャネルグループ識別子に対応付けて前記ネットワーク側に報告する第１処理ユニットを更に備えることを特徴とする
請求項４７−５１のいずれか一項に記載のユーザ装置。
【請求項５４】
前記第１処理ユニットは、複製データの２つのＲＬＣエンティティのデータ量をそれぞれ異なる論理チャネル、異なる論理チャネル識別子、異なる論理チャネルグループ、又は異なる論理チャネルグループ識別子に対応付けて前記ネットワーク側に報告することを特徴とする
請求項４７−５１のいずれか一項に記載のユーザ装置。
【請求項５５】
前記第１処理ユニットは、予め設定された順番で、第１通信ユニットにより、複製データ及び非複製データのデータ量の情報をネットワーク側に送信して報告することを含み、
前記順番は、
ネットワーク側への複製データのデータ量の情報の報告送信を優先すること、
ネットワーク側への非複製データのデータ量の情報の報告送信を優先すること、
ネットワーク側への複製データ又は非複製データのデータ量の情報の報告送信を優先することを自ら決定することのうちの１つであることを特徴とする
請求項３８−５４のいずれか一項に記載のユーザ装置。
【請求項５６】
前記第１処理ユニットは、複製データ又は非複製データのデータ量の情報を報告する優先度が同じである場合、第１通信ユニットにより、予め設定された順番で、複製データ及び非複製データのデータ量の情報をネットワーク側に送信して報告し、
複製データ又は非複製データのデータ量の情報を報告する優先度が異なる場合、第１通信ユニットにより、優先度に応じて複製データ及び非複製データのデータ量の情報をネットワーク側に送信して報告することを特徴とする
請求項５５に記載のユーザ装置。
【請求項５７】
ネットワーク装置であって、
ユーザ装置からの複製データ及び非複製データのデータ量の情報を受信する第２通信ユニットを備え、
前記複製データ及び非複製データのデータ量の情報は、論理チャネル、論理チャネルグループ、宛先アドレス、宛先アドレス識別子のうちの少なくとも１つを利用して区別される、前記ネットワーク装置。
【請求項５８】
前記第２通信ユニットは、ＲＲＣ情報及び／又はＭＡＣ  ＣＥにより、ユーザ装置からの複製データ及び非複製データのデータ量の情報を受信することを特徴とする
請求項５７に記載のネットワーク装置。
【請求項５９】
前記第２通信ユニットは、前記ユーザ装置から報告された、複製データと非複製データのデータ量を区別するための異なる宛先アドレス、又は異なる宛先アドレス識別子を受信することを特徴とする
請求項５７に記載のネットワーク装置。
【請求項６０】
前記第２通信ユニットは、前記ユーザ装置から報告された、異なる宛先アドレス又は宛先アドレス識別子に対応する複製データ及び非複製データの信頼性要件情報を受信することを特徴とする
請求項５９に記載のネットワーク装置。
【請求項６１】
前記信頼性要件情報は、
データが信頼性要件に関連付けられているかどうかどうか、信頼性要件情報の具体的な数値のうちの少なくとも１つを含むことを特徴とする
請求項６０に記載のネットワーク装置。
【請求項６２】
前記第２通信ユニットは、前記ユーザ装置に設定情報を送信し、
前記設定情報には、前記端末装置による前記宛先アドレス又は宛先アドレス識別子のデータ複製を許容するかに関する情報が含まれることを特徴とする
請求項６０に記載のネットワーク装置。
【請求項６３】
前記第２通信ユニットは、ユーザ装置からの前記複製データの優先度情報を取得することを特徴とする
請求項６０−６２のいずれか一項に記載のネットワーク装置。
【請求項６４】
前記第２通信ユニットは、ユーザ装置からの前記複製データの論理チャネル又は論理チャネルグループ情報を取得することを特徴とする
請求項６０−６２のいずれか一項に記載のネットワーク装置。
【請求項６５】
前記第２通信ユニットは、ユーザ装置に設定情報を送信し、
前記設定情報には、ネットワーク側で設定された、複製データ及び非複製データと、異なる論理チャネル又は論理チャネルグループとの対応関係が含まれることを特徴とする
請求項６０に記載のネットワーク装置。
【請求項６６】
前記第２通信ユニットは、ユーザ装置に設定情報を送信し、
前記設定情報には、ネットワーク側で設定された、異なる論理チャネル又は論理チャネルグループと、データの信頼性要件情報との対応関係が含まれることを特徴とする
請求項６０に記載のネットワーク装置。
【請求項６７】
前記対応関係は、宛先アドレス又は宛先アドレス識別子の相違によって、それぞれ異なることを特徴とする
請求項６５又は６６に記載のネットワーク装置。
【請求項６８】
前記信頼性要件情報は、
データが信頼性要件に関連付けられているかどうかどうか、
信頼性要件情報の具体的な数値のうちの少なくとも１つを含むことを特徴とする
請求項６７に記載のネットワーク装置。
【請求項６９】
前記設定情報には、
前記複製データの２つのＲＬＣエンティティにそれぞれ対応する論理チャネル又は論理チャネルグループが更に含まれることを特徴とする
請求項６０に記載のネットワーク装置。
【請求項７０】
前記設定情報には、
異なる論理チャネル、又は異なる論理チャネルグループに対応する優先度情報が更に含まれることを特徴とする
請求項６５−６９のいずれか一項に記載のネットワーク装置。
【請求項７１】
前記第２通信ユニットは、異なる論理チャネル、異なる論理チャネルグループ、論理チャネル識別子、又は異なる論理チャネルグループ識別子にそれぞれ対応付けられる複製データのデータ量及び非複製データのデータ量を受信することを特徴とする
請求項６５−６９のいずれか一項に記載のネットワーク装置。
【請求項７２】
前記ネットワーク装置は、
前記複製データの２つのＲＬＣエンティティのデータ量がそれぞれ対応する異なる論理チャネル、異なる論理チャネル識別子、異なる論理チャネルグループ、又は異なる論理チャネルグループ識別子から、前記複製データの２つのＲＬＣエンティティのデータ量を取得する第２処理ユニットを更に備えることを特徴とする
請求項６５−６９のいずれか一項に記載のネットワーク装置。
【請求項７３】
前記第２通信ユニットは、ユーザ装置から予め設定された順番で送信された、複製データ及び非複製データのデータ量の情報を受信し、
前記順番は、
複製データのデータ量の情報の報告送信を優先すること、
非複製データのデータ量の情報の報告送信を優先すること、
ネットワーク側への複製データ又は非複製データのデータ量の情報の報告送信を優先することを前記ユーザ装置が決定することのうちの１つであることを特徴とする
請求項５７−７２のいずれか一項に記載のネットワーク装置。
【請求項７４】
前記第２通信ユニットは、複製データ又は非複製データのデータ量の情報を報告する優先度が同じである場合、ユーザ装置から予め設定された順番で送信された複製データ及び非複製データのデータ量の情報を受信し、
複製データ又は非複製データのデータ量の情報を報告する優先度が異なる場合、ユーザ装置から優先度に応じて報告された複製データ及び非複製データのデータ量の情報を受信することを特徴とする
請求項７３に記載のネットワーク装置。
【請求項７５】
ユーザ装置であって、プロセッサと、プロセッサで実行可能であるコンピュータプログラムを記憶するためのメモリとを備え、
前記プロセッサは、前記コンピュータプログラムを実行する時、請求項１−１９のいずれか一項に記載の方法のステップを実行するように構成される、前記ユーザ装置。
【請求項７６】
ネットワーク装置であって、プロセッサと、プロセッサで実行可能なコンピュータプログラムを記憶するためのメモリとを備え、
前記プロセッサは、前記コンピュータプログラムを実行する時、請求項２０−３７のいずれか一項に記載の方法のステップを実行するように構成される、前記ネットワーク装置。
【請求項７７】
コンピュータ記憶媒体であって、前記コンピュータ記憶媒体には、コンピュータで実行可能な命令が記憶されており、前記コンピュータで実行可能な命令が実行される時、請求項１−３７のいずれか一項に記載の方法のステップを実現させる、前記コンピュータ記憶媒体。
【発明の詳細な説明】
【技術分野】
【０００１】
本発明は、情報処理技術分野に関し、特にデータ複製のデータ量を報告する方法、ユーザ装置、ネットワーク装置及びコンピュータ記憶媒体に関する。
【背景技術】
【０００２】
キャリアアグリゲーション（ＣＡ：Ｃａｒｒｉｅｒ  Ａｇｇｒｅｇａｔｉｏｎ）は、データ複製（ｄａｔａ  ｄｕｐｌｉｃａｔｉｏｎ）をサポートするスキームは、ＰＤＣＰのデータ複製機能（図１に示す）により、複製されたＰＤＣＰ  ＰＤＵをそれぞれ２つのＲＬＣ  ｅｎｔｉｔｙ（２つの異なる論理チャネル）に伝送し、複製されたＰＤＣＰ  ＰＤＵを異なる物理層キャリアアグリゲーションで伝送することができることを最終的に確保し、それによって周波数ダイバーシチゲインを得てデータ伝送の信頼性を向上させる。
【０００３】
しかしながら、上記アーキテクチャを利用してデータ伝送を行う場合、ユーザ装置が異なる伝送モードで伝送するデータ量を如何にネットワーク側に把握させるかは、解決しようとする課題である。
【発明の概要】
【発明が解決しようとする課題】
【０００４】
上記技術的課題を解決するために、本発明の実施例は、データ複製のデータ量を報告する方法、ユーザ装置、ネットワーク装置及びコンピュータ記憶媒体を提供する。
【課題を解決するための手段】
【０００５】
本発明の実施例は、データ複製のデータ量を報告する方法を提供し、該方法は、ユーザ装置に適用され、前記方法は、
複製データ及び非複製データのデータ量の情報をネットワーク側に送信して報告することを含み、
前記複製データ及び非複製データのデータ量の情報は、論理チャネル、論理チャネルグループ、宛先アドレス、宛先アドレス識別子のうちの少なくとも１つを利用して区別される。
【０００６】
本発明の実施例は、データ複製のデータ量を報告する方法を提供し、該方法は、ネットワーク装置に適用され、前記方法は、
ユーザ装置からの複製データ及び非複製データのデータ量の情報を受信することを含み、
前記複製データ及び非複製データのデータ量の情報は、論理チャネル、論理チャネルグループ、宛先アドレス、宛先アドレス識別子のうちの少なくとも１つを利用して区別される。
【０００７】
本発明の実施例は、ユーザ装置を提供し、前記ユーザ装置は、
複製データ及び非複製データのデータ量の情報をネットワーク側に送信して報告する第１通信ユニットを備え、
前記複製データ及び非複製データのデータ量の情報は、論理チャネル、論理チャネルグループ、宛先アドレス、宛先アドレス識別子のうちの少なくとも１つを利用して区別される。
【０００８】
本発明の実施例は、ネットワーク装置を提供し、前記ネットワーク装置は、
ユーザ装置からの複製データ及び非複製データのデータ量の情報を受信する第２通信ユニットを備え、
前記複製データ及び非複製データのデータ量の情報は、論理チャネル、論理チャネルグループ、宛先アドレス、宛先アドレス識別子のうちの少なくとも１つを利用して区別される。
【０００９】
本発明の実施例が提供するユーザ装置ＵＥは、プロセッサと、プロセッサで実行可能であるコンピュータプログラムを記憶するためのメモリとを備え、
前記プロセッサは、前記コンピュータプログラムを実行する時、前記方法のステップを実行するように構成される。
【００１０】
本発明の実施例が提供するネットワーク装置は、プロセッサと、プロセッサによる実行可能なコンピュータプログラムを記憶するためのメモリとを備え、
前記プロセッサは、前記コンピュータプログラムを実行する時、前記方法のステップを実行するように構成される。
【００１１】
本発明の実施例は、コンピュータ記憶媒体を提供し、前記コンピュータ記憶媒体には、コンピュータで実行可能な命令が記憶されており、前記コンピュータで実行可能な命令が実行される時、前記方法のステップを実現させる。
【発明の効果】
【００１２】
本発明の実施例の技術的解決手段は、異なる論理チャネル、論理チャネルグループ、宛先アドレスまたは宛先アドレス識別子を利用して、複製データと非複製データのデータ量を区別してネットワーク側に報告することができる。これによりネットワーク側は、ＵＥ側の情報送信状況を知り得る。従って、ネットワーク側がＵＥから異なる伝送モードで伝送されたデータ量を把握することができないという課題を解決することができる。
【図面の簡単な説明】
【００１３】
【図１】二重接続ネットワークの構成を示す概略図である。
【図２】本発明の実施例に係るデータ複製のデータ量を報告する方法を示すフローチャートである。
【図３】本発明の実施例に係るユーザ装置の構成を示す概略図である。
【図４】本発明の実施例に係るネットワーク装置の構成を示す概略図である。
【図５】本発明の実施例に係るハードウェアアーキテクチャを示す概略図である。
【発明を実施するための形態】
【００１４】
本発明の実施例の特徴及び要旨をより詳細に理解できるように、以下、図面を参照しながら本発明の実施例の実現形態を詳細に説明する。添付した図面は、参照のためのものに過ぎず、本発明の実施例を限定するものではない。
【００１５】
実施例１
本発明の実施例は、データ複製のデータ量を報告する方法を提供し、該方法はユーザ装置に適用され、前記方法は、
複製データ及び非複製データのデータ量の情報をネットワーク側に送信して報告することを含み、
前記複製データ及び非複製データのデータ量の情報は、論理チャネル、論理チャネルグループ、宛先アドレス、宛先アドレス識別子のうちの少なくとも１つを利用して区別される。
【００１６】
つまり、ユーザ装置は、論理チャネル、論理チャネルグループ、宛先アドレス、宛先アドレス識別子のうちの少なくとも１つを利用して、ｄｕｐｌｉｃａｔｉｏｎのためのデータ量と非ｄｕｐｌｉｃａｔｉｏｎのためのデータ量を区別して報告する必要がある。
【００１７】
ユーザの報告方式、即ち複製データ及び非複製データのデータ量の情報をネットワーク側に送信して報告することは、
無線リソース制御（ＲＲＣ）情報及び／又はＭＡＣ  ＣＥを利用して、複製データ及び非複製データのデータ量の情報をネットワーク側に送信して報告することを含む。
【００１８】
それぞれ説明すると、シナリオ１において、宛先アドレス又は宛先アドレス識別子を利用する場合は、下記の通りである。
【００１９】
１つの形態は、複製データと非複製データのデータ量を区別するための異なる宛先アドレス、又は異なる宛先アドレス識別子をネットワーク側に報告することである。
【００２０】
つまり、ユーザは、ｄｕｐｌｉｃａｔｉｏｎのための宛先アドレスと非ｄｕｐｌｉｃａｔｉｏｎのための宛先アドレスを区別してネットワークに報告する。
【００２１】
もう１つの形態は、異なる宛先アドレス又は宛先アドレス識別子に対応する複製データ及び非複製データの信頼性要件情報をネットワーク側に報告することである。
【００２２】
つまり、
ユーザは、異なるデータに対応する信頼性要件情報をネットワーク側に送信し、続いて、異なる宛先アドレス又は宛先アドレス識別子で、対応する複製データ、それに対応する信頼性要件情報及び対応するデータ量を送信し、更に、非複製データ、それに対応する信頼性要件情報及び対応するデータ量を送信することができる。
【００２３】
ここで、前記信頼性要件情報は、データが信頼性要件に関連付けられているかどうかどうか、信頼性要件情報の具体的な数値のうちの少なくとも１つを含む。
【００２４】
つまり、ターゲットデータが信頼性要件に相互関連づけられているかどうかは、信頼性要件情報に含まれてもよい。また、信頼性要件情報における具体的なデータが含まれてもよい。例えば、データ１、２、３のうちの異なるデータは信頼性要件Ａ、Ｂ又はＣに対応してもよいし、そのうちの１つの具体的な数値のみに対応してもよい。ここで例を挙げない。
【００２５】
更に、複製データ及び非複製データのデータ量の情報をネットワーク側に送信して報告することは、
異なる宛先アドレス、又は異なる宛先アドレス識別子で区別された複製データ及び非複製データのデータ量の情報をネットワーク側に報告することを含む。
【００２６】
また、前記処理を実行する前に、ネットワーク側は、特定の宛先アドレスのデータに対してｄｕｐｌｉｃａｔｉｏｎの利用を許容するかを制御することもできる。具体的には、複製データ及び非複製データのデータ量の情報をネットワーク側に送信して報告する前に、前記方法は、
ネットワーク側からの設定情報を受信ことを、更に含み、前記設定情報には、前記ネットワーク側が前記端末装置による前記宛先アドレス又は宛先アドレス識別子のデータ複製を許容するかに関する情報が含まれる。
【００２７】
従って、前記設定情報が許容されることを示す場合、後続の処理を実行することができ、そうでなければ、データ複製を行わない。
【００２８】
続いて、ユーザは、異なる宛先アドレス及び／又は宛先アドレス識別子を区別して利用して、ｄｕｐｌｉｃａｔｉｏｎのためのデータ量及び非ｄｕｐｌｉｃａｔｉｏｎのためのデータ量を報告する。
【００２９】
更に、前記方法は、前記複製データの優先度情報をネットワーク側に報告することを更に含む。その優先度情報は、実際の状況に応じて設定してもよい。異なる複製データは、異なる優先度に対応してもよい。
【００３０】
更に、前記方法は、前記複製データの論理チャネル又は論理チャネルグループ情報をネットワーク側に報告することを更に含む。ここで、複製データがそれぞれ２つのＲＬＣエンティティに対応し、それぞれ異なる論理チャネルで送信されることが可能であるため、２つの複製データを送信しようとするＲＬＣエンティティが所在する論理チャネルを予めネットワーク側に報告する。また、複製データに対応する論理チャネルが特定の論理チャネルグループに属する可能性があるため、複製データに対応する論理チャネルグループをネットワーク側に報告してもよい。
【００３１】
シナリオ２において、論理チャネル又は論理チャネルグループを利用して区別する場合、
ネットワーク側からの設定情報を受信し、前記設定情報には、ネットワーク側で設定された、複製データ及び非複製データと、異なる論理チャネル又は論理チャネルグループとの対応関係が含まれる。
【００３２】
又は、
ネットワーク側からの設定情報を受信し、前記設定情報には、ネットワーク側で設定された、異なる論理チャネル又は論理チャネルグループと、データの信頼性要件情報との対応関係が含まれる。
【００３３】
つまり、複製データ及び非複製データは、それぞれ異なる論理チャネル又は論理チャネルグループに対応する。又は、異なる信頼性要件（例えば、シンボル誤り率であってもよい）はそれぞれ異なる論理チャネル又は論理チャネルグループに対応する。
【００３４】
説明すべきこととして、前記設定情報には、前記複製データの２つのＲＬＣエンティティにそれぞれ対応する論理チャネル又は論理チャネルグループが更に含まれる。つまり、複製データにおける対応する２つのＲＬＣエンティティは、それぞれ異なる論理チャネルに対応してもよいし、又は２つのＲＬＣエンティティが所在する論理チャネルはそれぞれ異なる論理チャネルグループに属する。
【００３５】
更に、前記設定情報には、異なる論理チャネル、又は異なる論理チャネルグループに対応する優先度情報が更に含まれる。
【００３６】
具体的には、複製データ及び非複製データのデータ量の情報を送信して報告することは、複製データのデータ量及び非複製データのデータ量をそれぞれ異なる論理チャネル、異なる論理チャネルグループ、論理チャネル識別子、又は異なる論理チャネルグループ識別子に対応付けて前記ネットワーク側に報告することを含む。複製データに対応する２つのＲＬＣエンティティのそれぞれのデータ量、及び非複製データのデータ量は、それぞれ異なる論理チャネル、異なる論理チャネルグループ、論理チャネル識別子、又は異なる論理チャネルグループ識別子を利用して区別されてから、報告されると理解される。例えば、ユーザは、該設定に基づいて、ｄｕｐｌｉｃａｔｉｏｎのためのデータ及び非ｄｕｐｌｉｃａｔｉｏｎのためのデータを異なる論理チャネル（グループ）に対応付ける。ユーザは、異なる論理チャネル（グループ）及び／又は論理チャネル（グループ）識別子を区別して利用することでｄｕｐｌｉｃａｔｉｏｎのためのデータ量及び非ｄｕｐｌｉｃａｔｉｏｎのためのデータ量を報告する。
【００３７】
また、シナリオ１と同様に、ネットワーク側は、特定の宛先アドレスのデータに対してｄｕｐｌｉｃａｔｉｏｎの利用を許容するかを制御することもでき、また特定の優先度に対するデータを制御することもできる。
【００３８】
該論理チャネル（グループ）の設定は、優先度と組み合わせしてもよい。即ち、異なる論理チャネル（グループ）は、ｄｕｐｌｉｃａｔｉｏｎに用いられるかどうかに対応すると共に、異なる優先度にも対応する。
【００３９】
複製データ及び非複製データのデータ量の情報をネットワーク側に送信して報告する場合、複製データの送信は、具体的には、複製データの２つのＲＬＣエンティティのデータ量をそれぞれ異なる論理チャネル、異なる論理チャネル識別子、異なる論理チャネルグループ、又は異なる論理チャネルグループ識別子に対応付けて、前記ネットワーク側に報告する。
【００４０】
つまり、複製データにおける各ＲＬＣエンティティに対応する数量を、異なる論理チャネル識別子、論理チャネル、論理チャネルグループ、又は論理チャネルグループ識別子に対応付けて、ネットワーク側に報告する。
【００４１】
また説明すべきこととして、前記２つのシナリオに記載される対応関係は、宛先アドレス、又は宛先アドレス識別子の相違によって、それぞれ異なる。つまり、異なる宛先アドレス又は異なる宛先アドレス識別子に対して、異なる信頼性要件と論理チャネル、又は論理チャネルグループとの対応関係を設定することができる。ここで、論理チャネル又は論理チャネルグループが信頼性要件に対応するか、又は異なる宛先アドレス又は宛先アドレス識別子に対応する信頼性要件情報の具体的な数値が異なってもよいことが含まれる。
【００４２】
また、本実施例において、複製データ及び非複製データのデータ量の情報をネットワーク側に送信して報告する時、２つの同じ優先度の複製データ及び非複製データのデータ量の情報が含まれると、下記処理方式で処理する。
【００４３】
予め設定された順番で複製データ及び非複製データのデータ量の情報をネットワーク側に送信して報告し、
前記順番は、
ネットワーク側への複製データのデータ量の情報の報告送信を優先すること、
ネットワーク側への非複製データのデータ量の情報の報告送信を優先すること、
ネットワーク側への複製データ又は非複製データのデータ量の情報の報告送信を優先することを自ら決定することのうちの１つである。
【００４４】
具体的には、複製データ又は非複製データのデータ量の情報を報告する優先度が同じである場合、予め設定された順番で、複製データ及び非複製データのデータ量の情報をネットワーク側に送信して報告し、
複製データ又は非複製データのデータ量の情報を報告する優先度が異なる場合、優先度に応じて複製データ及び非複製データのデータ量の情報をネットワーク側に送信して報告する。
【００４５】
つまり、複製データ又は非複製データのデータ量の情報の優先度が異なる場合、予め設定された順番を比較せず、優先度に応じて報告すればよい。複製データ又は非複製データのデータ量の情報の優先度が同じである場合、上記方式で、優先して報告される情報の決定を行う。
【００４６】
上記二つのシナリオによれば、本発明の実施例が提供する具体的な処理プロセスは、図２に示すように、
ネットワーク側からの設定情報を受信するステップ１０１と、
複製データ及び非複製データのデータ量の情報をネットワーク側に送信して報告するステップ１０２とを含み、前記複製データ及び非複製データのデータ量の情報は、論理チャネル、論理チャネルグループ、宛先アドレス、宛先アドレス識別子のうちの少なくとも１つを利用して区別される。
【００４７】
ここで、前記設定情報は、前述したシナリオに記載の設定情報におけるコンテンツのうちの少なくとも一部を含んでもよい。
【００４８】
これから分かるように、上記技術的解決手段によれば、異なる論理チャネル、論理チャネルグループ、宛先アドレス又は宛先アドレス識別子を利用して複製データと非複製データのデータ量を区別してネットワーク側に送信することができる。これによりネットワーク側は、ＵＥ側の情報送信状況を知り得る。従って、ネットワーク側がＵＥから異なる伝送モードで伝送されたデータ量を把握することができないという課題を解決することができる。
【００４９】
実施例２
本発明の実施例は、データ複製のデータ量を報告する方法を提供し、該方法は、ネットワーク装置に適用され、前記方法は、
ユーザ装置からの複製データ及び非複製データのデータ量の情報を受信することを含み、
前記複製データ及び非複製データのデータ量の情報は、論理チャネル、論理チャネルグループ、宛先アドレス、宛先アドレス識別子のうちの少なくとも１つを利用して区別される。
【００５０】
つまり、ユーザ装置は、論理チャネル、論理チャネルグループ、宛先アドレス、宛先アドレス識別子のうちの少なくとも１つを利用して、ｄｕｐｌｉｃａｔｉｏｎのためのデータ量と非ｄｕｐｌｉｃａｔｉｏｎのためのデータ量を区別して報告する必要がある。
【００５１】
ユーザ装置からの複製データ及び非複製データのデータ量の情報を受信することは、ＲＲＣ情報及び／又はＭＡＣ  ＣＥにより、ユーザ装置からの複製データ及び非複製データのデータ量の情報を受信することを含む。
【００５２】
それぞれ説明すると、シナリオ１において、宛先アドレス又は宛先アドレス識別子を利用する時、
１つの形態は、前記ユーザ装置から報告された、複製データと非複製データのデータ量を区別するための異なる宛先アドレス、又は異なる宛先アドレス識別子を受信することである。
【００５３】
つまり、ユーザは、ｄｕｐｌｉｃａｔｉｏｎのための宛先アドレスと非ｄｕｐｌｉｃａｔｉｏｎのための宛先アドレスを区別してネットワークに報告する。
【００５４】
もう１つの形態は、前記ユーザ装置から報告された、異なる宛先アドレス又は宛先アドレス識別子に対応する複製データ及び非複製データの信頼性要件情報を受信することである。
【００５５】
つまり、
ユーザは、異なるデータに対応する信頼性要件情報をネットワーク側に送信し、続いて、異なる宛先アドレス又は宛先アドレス識別子で、対応する複製データ、それに対応する信頼性要件情報及び対応するデータ量を送信し、更に、非複製データ、それに対応する信頼性要件情報及び対応するデータ量を送信することができる。
【００５６】
ここで、前記信頼性要件情報は、データが信頼性要件に関連付けられているかどうかどうか、信頼性要件情報の具体的な数値のうちの少なくとも１つを含む。つまり、ターゲットデータが信頼性要件に相互関連づけられているかどうかは、信頼性要件情報に含まれてもよい。また、信頼性要件情報における具体的なデータが含まれてもよい。例えば、データ１、２、３のうちの異なるデータは信頼性要件Ａ、Ｂ又はＣに対応してもよいし、そのうちの１つの具体的な数値のみに対応してもよい。ここで例を挙げない。
【００５７】
更に、前記処理を実行する前に、ネットワーク側は、特定の宛先アドレスのデータに対してｄｕｐｌｉｃａｔｉｏｎの利用を許容するかを制御することもできる。具体的には、前記ユーザ装置に設定情報を送信する。前記設定情報には、前記ネットワーク側が前記端末装置による前記宛先アドレス又は宛先アドレス識別子のデータ複製を許容するかに関する情報が含まれる。
【００５８】
従って、前記設定情報が許容されることを示す場合、後続の処理を実行することができ、そうでなければ、データ複製を行わない。
【００５９】
続いて、ユーザは、異なる宛先アドレス及び／又は宛先アドレス識別子を区別して利用して、ｄｕｐｌｉｃａｔｉｏｎのためのデータ量及び非ｄｕｐｌｉｃａｔｉｏｎのためのデータ量を報告する。
【００６０】
更に、前記方法は、
ユーザ装置からの前記複製データの優先度情報を取得することを更に含む。その優先度情報は、実際の状況に応じて設定してもよい。異なる複製データは、異なる優先度に対応してもよい。
【００６１】
また、ユーザ装置からの前記複製データの論理チャネル又は論理チャネルグループ情報を更に取得する。ここで、複製データがそれぞれ２つのＲＬＣエンティティに対応し、それぞれ異なる論理チャネルで送信されることが可能であるため、２つの複製データを送信しようとするＲＬＣエンティティが所在する論理チャネルを予めネットワーク側に報告する。また、複製データに対応する２つの論理チャネルがそれぞれ異なる論理チャネルグループに属する可能性があるため、複製データに対応する論理チャネルグループをネットワーク側に報告してもよい。
【００６２】
シナリオ２において、論理チャネル又は論理チャネルグループを利用して区別する場合、
ユーザ装置に設定情報を送信し
前記設定情報には、ネットワーク側で設定された、複製データ及び非複製データと、異なる論理チャネル又は論理チャネルグループとの対応関係が含まれる。
【００６３】
説明すべきこととして、複製データ及び非複製データはそれぞれ異なる論理チャネル又は異なる論理チャネルグループに対応する。
【００６４】
又は、
ユーザ装置に設定情報を送信し、
前記設定情報には、ネットワーク側で設定された、異なる論理チャネル又は論理チャネルグループと、データの信頼性要件情報との対応関係が含まれる。
【００６５】
つまり、複製データ及び非複製データは、それぞれ異なる論理チャネル又は論理チャネルグループに対応し、また、それぞれ信頼性要件（例えば、シンボル誤り率であってもよい）に対応する。
【００６６】
説明すべきこととして、前記設定情報には、前記複製データの２つのＲＬＣエンティティにそれぞれ対応する論理チャネル又は論理チャネルグループが更に含まれる。つまり、複製データにおける対応する２つのＲＬＣエンティティは、それぞれ異なる論理チャネルに対応してもよいし、又は２つのＲＬＣエンティティが所在する論理チャネルはそれぞれ異なる論理チャネルグループに属する。
【００６７】
更に、前記設定情報には、異なる論理チャネル、又は異なる論理チャネルグループに対応する優先度情報が更に含まれる。
【００６８】
具体的には、異なる論理チャネル、異なる論理チャネルグループ、論理チャネル識別子、又は異なる論理チャネルグループ識別子にそれぞれ対応付けられる複製データのデータ量及び非複製データのデータ量を受信する。複製データに対応する２つのＲＬＣエンティティのそれぞれのデータ量、及び非複製データのデータ量は、それぞれ異なる論理チャネル、異なる論理チャネルグループ、論理チャネル識別子、又は異なる論理チャネルグループ識別子を利用して区別されてから、報告されると理解される。例えば、ユーザは、該設定に基づいて、ｄｕｐｌｉｃａｔｉｏｎのためのデータ及び非ｄｕｐｌｉｃａｔｉｏｎのためのデータを異なる論理チャネル（グループ）に対応付ける。ユーザは、異なる論理チャネル（グループ）及び／又は論理チャネル（グループ）識別子を区別して利用することでｄｕｐｌｉｃａｔｉｏｎのためのデータ量及び非ｄｕｐｌｉｃａｔｉｏｎのためのデータ量を報告する。
【００６９】
また、シナリオ１と同様に、ネットワーク側は、特定の宛先アドレスのデータに対してｄｕｐｌｉｃａｔｉｏｎの利用を許容するかを制御することもでき、また特定の優先度に対するデータを制御することもできる。
【００７０】
該論理チャネル（グループ）の設定は、優先度と組み合わせしてもよい。即ち、異なる論理チャネル（グループ）は、ｄｕｐｌｉｃａｔｉｏｎに用いられるかどうかに対応すると共に、異なる優先度にも対応する。
【００７１】
複製データの受信は、具体的には、前記複製データの２つのＲＬＣエンティティのデータ量がそれぞれ対応する異なる論理チャネル、異なる論理チャネル識別子、異なる論理チャネルグループ、又は異なる論理チャネルグループ識別子から、前記複製データの２つのＲＬＣエンティティのデータ量を取得することであってもよい。
【００７２】
つまり、複製データにおける各ＲＬＣエンティティに対応する数量を、異なる論理チャネル識別子、論理チャネル、論理チャネルグループ、又は論理チャネルグループ識別子に対応付けて、ネットワーク側に報告する。
【００７３】
また説明すべきこととして、前記２つのシナリオに記載される対応関係は、宛先アドレス、又は宛先アドレス識別子の相違によって、それぞれ異なる。つまり、異なる宛先アドレス又は異なる宛先アドレス識別子に対して、異なる信頼性要件と論理チャネル、又は論理チャネルグループとの対応関係を設定することができる。ここで、論理チャネル又は論理チャネルグループが信頼性要件に対応するか、又は異なる宛先アドレス又は宛先アドレス識別子に対応する信頼性要件情報の具体的な数値が異なってもよいことが含まれる。
【００７４】
また、本実施例において、ユーザ装置から報告された複製データ及び非複製データのデータ量の情報を受信する時、２つの同じ優先度の複製データ及び非複製データのデータ量の情報が含まれると、下記処理方式で処理する。
【００７５】
ユーザ装置から予め設定された順番で送信された、複製データ及び非複製データのデータ量の情報を受信し、
前記順番は、
複製データのデータ量の情報の報告送信を優先すること、
非複製データのデータ量の情報の報告送信を優先すること、
ネットワーク側への複製データ又は非複製データのデータ量の情報の報告送信を優先することを前記ユーザ装置が決定することのうちの１つである。
【００７６】
具体的には、複製データ又は非複製データのデータ量の情報を報告する優先度が同じである場合、ユーザ装置から予め設定された順番で送信された複製データ及び非複製データのデータ量の情報を受信し、
複製データ又は非複製データのデータ量の情報を報告する優先度が異なる場合、ユーザ装置から優先度に応じて報告された複製データ及び非複製データのデータ量の情報を受信する。
【００７７】
つまり、複製データ又は非複製データのデータ量の情報の優先度が異なる場合、予め設定された順番を比較せず、優先度に応じて受信すればよい。複製データ又は非複製データのデータ量の情報の優先度が同じである場合、ネットワーク装置は、上記方式で、現在受信した情報がどの情報であるかを決定する。
【００７８】
これから分かるように、上記技術的解決手段によれば、異なる論理チャネル、論理チャネルグループ、宛先アドレス又は宛先アドレス識別子を利用して複製データと非複製データのデータ量を区別してネットワーク側に送信することができる。これによりネットワーク側は、ＵＥ側の情報送信状況を知り得る。従って、ネットワーク側がＵＥから異なる伝送モードで伝送されたデータ量を把握することができないという課題を解決することができる。
【００７９】
実施例３
本発明の実施例は、ユーザ装置を提供し、図３に示すように、該ユーザ装置は、
複製データ及び非複製データのデータ量の情報をネットワーク側に送信して報告する第１通信ユニット３１を備え、
前記複製データ及び非複製データのデータ量の情報は、論理チャネル、論理チャネルグループ、宛先アドレス、宛先アドレス識別子のうちの少なくとも１つを利用して区別される。
【００８０】
つまり、ユーザ装置は、論理チャネル、論理チャネルグループ、宛先アドレス、宛先アドレス識別子のうちの少なくとも１つを利用して、ｄｕｐｌｉｃａｔｉｏｎのためのデータ量と非ｄｕｐｌｉｃａｔｉｏｎのためのデータ量を区別して報告する必要がある。
【００８１】
ユーザの報告方式について、第１通信ユニット３１は、無線リソース制御（ＲＲＣ）情報及び／又はＭＡＣ  ＣＥを利用して、複製データ及び非複製データのデータ量の情報をネットワーク側に送信して報告することを含む。
【００８２】
それぞれ説明すると、シナリオ１において、宛先アドレス又は宛先アドレス識別子を利用する時、
１つの形態は、第１通信ユニット３１が、複製データと非複製データのデータ量を区別するための異なる宛先アドレス、又は異なる宛先アドレス識別子をネットワーク側に報告することである。
【００８３】
つまり、ユーザは、ｄｕｐｌｉｃａｔｉｏｎのための宛先アドレスと非ｄｕｐｌｉｃａｔｉｏｎのための宛先アドレスを区別してネットワークに報告する。
【００８４】
もう１つの形態は、第１通信ユニット３１が、異なる宛先アドレス又は宛先アドレス識別子に対応する複製データ及び非複製データの信頼性要件情報をネットワーク側に報告することである。
【００８５】
つまり、
ユーザは、異なるデータに対応する信頼性要件情報をネットワーク側に送信し、続いて、異なる宛先アドレス又は宛先アドレス識別子で、対応する複製データ、それに対応する信頼性要件情報及び対応するデータ量を送信し、更に、非複製データ、それに対応する信頼性要件情報及び対応するデータ量を送信することができる。
【００８６】
ここで、前記信頼性要件情報は、データが信頼性要件に関連付けられているかどうかどうか、信頼性要件情報の具体的な数値のうちの少なくとも１つを含む。つまり、ターゲットデータが信頼性要件に相互関連づけられているかどうかは、信頼性要件情報に含まれてもよい。また、信頼性要件情報における具体的なデータが含まれてもよい。例えば、データ１、２、３のうちの異なるデータは信頼性要件Ａ、Ｂ又はＣに対応してもよいし、そのうちの１つの具体的な数値のみに対応してもよい。ここで例を挙げない。
【００８７】
更に、異なる宛先アドレス、又は異なる宛先アドレス識別子で区別された複製データ及び非複製データのデータ量の情報をネットワーク側に報告する。
【００８８】
また、前記処理を実行する前に、ネットワーク側は、特定の宛先アドレスのデータに対してｄｕｐｌｉｃａｔｉｏｎの利用を許容するかを制御することもできる。具体的には、前記ユーザ装置は、
前記第１通信ユニット３１によりネットワーク側からの設定情報を受信する第１処理ユニット３２を更に備え、前記設定情報には、前記ネットワーク側が前記端末装置による前記宛先アドレス又は宛先アドレス識別子のデータ複製を許容するかに関する情報が含まれる。
【００８９】
従って、前記設定情報が許容されることを示す場合、後続の処理を実行することができ、そうでなければ、データ複製を行わない。
【００９０】
続いて、ユーザは、異なる宛先アドレス及び／又は宛先アドレス識別子を区別して利用して、ｄｕｐｌｉｃａｔｉｏｎのためのデータ量及び非ｄｕｐｌｉｃａｔｉｏｎのためのデータ量を報告する。
【００９１】
前記第１通信ユニット３１は、前記複製データの優先度情報をネットワーク側に報告することもできる。その優先度情報は、実際の状況に応じて設定してもよい。異なる複製データは、異なる優先度に対応してもよい。
【００９２】
更に、前記複製データの論理チャネル又は論理チャネルグループ情報をネットワーク側に報告する。ここで、複製データがそれぞれ２つのＲＬＣエンティティに対応し、それぞれ異なる論理チャネルで送信されることが可能であるため、２つの複製データを送信しようとするＲＬＣエンティティが所在する論理チャネルを予めネットワーク側に報告する。また、複製データに対応する論理チャネルが特定の論理チャネルグループに属する可能性があるため、複製データに対応する論理チャネルグループをネットワーク側に報告してもよい。
【００９３】
シナリオ２において、論理チャネル又は論理チャネルグループを利用して区別する場合、
前記第１通信ユニット３１は、ネットワーク側からの設定情報を受信し、前記設定情報には、ネットワーク側で設定された、複製データ及び非複製データと、異なる論理チャネル又は論理チャネルグループとの対応関係が含まれる。
【００９４】
又は、
前記第１通信ユニット３１は、ネットワーク側からの設定情報を受信し、前記設定情報には、ネットワーク側で設定された、異なる論理チャネル又は論理チャネルグループと、データの信頼性要件情報との対応関係が含まれる。
【００９５】
つまり、複製データ及び非複製データは、それぞれ異なる論理チャネル又は論理チャネルグループする。又は、異なる信頼性要件（例えば、シンボル誤り率であってもよい）はそれぞれ異なる論理チャネル又は論理チャネルグループに対応する。
【００９６】
説明すべきこととして、前記設定情報には、前記複製データの２つのＲＬＣエンティティにそれぞれ対応する論理チャネル又は論理チャネルグループが更に含まれる。つまり、複製データにおける対応する２つのＲＬＣエンティティは、それぞれ異なる論理チャネルに対応してもよいし、又は２つのＲＬＣエンティティが所在する論理チャネルはそれぞれ異なる論理チャネルグループに属する。
【００９７】
更に、前記設定情報には、異なる論理チャネル、又は異なる論理チャネルグループに対応する優先度情報が更に含まれる。
【００９８】
具体的には、前記第１処理ユニット３２は、複製データのデータ量及び非複製データのデータ量をそれぞれ異なる論理チャネル、異なる論理チャネルグループ、論理チャネル識別子、又は異なる論理チャネルグループ識別子に対応付けて前記ネットワーク側に報告する。複製データに対応する２つのＲＬＣエンティティのそれぞれのデータ量、及び非複製データのデータ量は、それぞれ異なる論理チャネル、異なる論理チャネルグループ、論理チャネル識別子、又は異なる論理チャネルグループ識別子を利用して区別されてから、報告されると理解される。例えば、ユーザは、該設定に基づいて、ｄｕｐｌｉｃａｔｉｏｎのためのデータ及び非ｄｕｐｌｉｃａｔｉｏｎのためのデータを異なる論理チャネル（グループ）に対応付ける。ユーザは、異なる論理チャネル（グループ）及び／又は論理チャネル（グループ）識別子を区別して利用することでｄｕｐｌｉｃａｔｉｏｎのためのデータ量及び非ｄｕｐｌｉｃａｔｉｏｎのためのデータ量を報告する。
【００９９】
また、シナリオ１と同様に、ネットワーク側は、特定の宛先アドレスのデータに対してｄｕｐｌｉｃａｔｉｏｎの利用を許容するかを制御することもでき、また特定の優先度に対するデータを制御することもできる。
【０１００】
該論理チャネル（グループ）の設定は、優先度と組み合わせしてもよい。即ち、異なる論理チャネル（グループ）は、ｄｕｐｌｉｃａｔｉｏｎに用いられるかどうかに対応すると共に、異なる優先度にも対応する。
【０１０１】
複製データ及び非複製データのデータ量の情報をネットワーク側に送信して報告する場合、複製データの送信は、具体的には、前記第１処理ユニット３２が、複製データの２つのＲＬＣエンティティのデータ量をそれぞれ異なる論理チャネル、異なる論理チャネル識別子、異なる論理チャネルグループ、又は異なる論理チャネルグループ識別子に対応付けて、前記第１通信ユニット３１により、前記ネットワーク側に報告することである。
【０１０２】
つまり、複製データにおける各ＲＬＣエンティティに対応する数量を、異なる論理チャネル識別子、論理チャネル、論理チャネルグループ、又は論理チャネルグループ識別子に対応付けて、ネットワーク側に報告する。
【０１０３】
また説明すべきこととして、前記２つのシナリオに記載される対応関係は、宛先アドレス、又は宛先アドレス識別子の相違によって、それぞれ異なる。つまり、異なる宛先アドレス又は異なる宛先アドレス識別子に対して、異なる信頼性要件と論理チャネル、又は論理チャネルグループとの対応関係を設定することができる。ここで、論理チャネル又は論理チャネルグループが信頼性要件に対応するか、又は異なる宛先アドレス又は宛先アドレス識別子に対応する信頼性要件情報の具体的な数値が異なってもよいことが含まれる。
【０１０４】
また、本実施例において、複製データ及び非複製データのデータ量の情報をネットワーク側に送信して報告する時、２つの同じ優先度の複製データ及び非複製データのデータ量の情報が含まれると、下記処理方式で処理する。
【０１０５】
第１処理ユニットは、予め設定された順番で、第１通信ユニットにより、複製データ及び非複製データのデータ量の情報をネットワーク側に送信して報告し、
前記順番は、
ネットワーク側への複製データのデータ量の情報の報告送信を優先すること、
ネットワーク側への非複製データのデータ量の情報の報告送信を優先すること、
ネットワーク側への複製データ又は非複製データのデータ量の情報の報告送信を優先することを自ら決定することのうちの１つである。
【０１０６】
具体的には、複製データ又は非複製データのデータ量の情報を報告する優先度が同じである場合、第１通信ユニットにより、予め設定された順番で、複製データ及び非複製データのデータ量の情報をネットワーク側に送信して報告し、
複製データ又は非複製データのデータ量の情報を報告する優先度が異なる場合、第１通信ユニットにより、優先度に応じて複製データ及び非複製データのデータ量の情報をネットワーク側に送信して報告する。
【０１０７】
つまり、複製データ又は非複製データのデータ量の情報の優先度が異なる場合、予め設定された順番を比較せず、優先度に応じて報告すればよい。複製データ又は非複製データのデータ量の情報の優先度が同じである場合、上記方式で、優先して報告される情報の決定を行う。
【０１０８】
これから分かるように、上記技術的解決手段によれば、異なる論理チャネル、論理チャネルグループ、宛先アドレス又は宛先アドレス識別子を利用して複製データと非複製データのデータ量を区別してネットワーク側に送信することができる。これによりネットワーク側は、ＵＥ側の情報送信状況を知り得る。従って、ネットワーク側がＵＥから異なる伝送モードで伝送されたデータ量を把握することができないという課題を解決することができる。
【０１０９】
実施例４
本発明の実施例は、ネットワーク装置を提供し、図４に示すように、該ネットワーク装置は、
ユーザ装置からの複製データ及び非複製データのデータ量の情報を受信する第２通信ユニット４１を備え、
前記複製データ及び非複製データのデータ量の情報は、論理チャネル、論理チャネルグループ、宛先アドレス、宛先アドレス識別子のうちの少なくとも１つを利用して区別される。
【０１１０】
つまり、ユーザ装置は、論理チャネル、論理チャネルグループ、宛先アドレス、宛先アドレス識別子のうちの少なくとも１つを利用して、ｄｕｐｌｉｃａｔｉｏｎのためのデータ量と非ｄｕｐｌｉｃａｔｉｏｎのためのデータ量を区別して報告する必要がある。
【０１１１】
前記第２通信ユニット４１は、ＲＲＣ情報及び／又はＭＡＣ  ＣＥにより、ユーザ装置からの複製データ及び非複製データのデータ量の情報を受信する。
【０１１２】
それぞれ説明すると、シナリオ１において、宛先アドレス又は宛先アドレス識別子を利用する時、
１つの形態は、第２通信ユニット４１が、前記ユーザ装置から報告された、複製データと非複製データのデータ量を区別するための異なる宛先アドレス、又は異なる宛先アドレス識別子を受信することである。
【０１１３】
つまり、ユーザは、ｄｕｐｌｉｃａｔｉｏｎのための宛先アドレスと非ｄｕｐｌｉｃａｔｉｏｎのための宛先アドレスを区別してネットワークに報告する。
【０１１４】
もう１つの形態は、第２通信ユニット４１が、前記ユーザ装置から報告された、異なる宛先アドレス又は宛先アドレス識別子に対応する複製データ及び非複製データの信頼性要件情報を受信することである。
【０１１５】
つまり、ユーザは、異なるデータに対応する信頼性要件情報をネットワーク側に送信し、続いて、異なる宛先アドレス又は宛先アドレス識別子で、対応する複製データ、それに対応する信頼性要件情報及び対応するデータ量を送信し、更に、非複製データ、それに対応する信頼性要件情報及び対応するデータ量を送信することができる。
【０１１６】
ここで、前記信頼性要件情報は、データが信頼性要件に関連付けられているかどうかどうか、信頼性要件情報の具体的な数値のうちの少なくとも１つを含む。つまり、ターゲットデータが信頼性要件に相互関連づけられているかどうかは、信頼性要件情報に含まれてもよい。また、信頼性要件情報における具体的なデータが含まれてもよい。例えば、データ１、２、３のうちの異なるデータは信頼性要件Ａ、Ｂ又はＣに対応してもよいし、そのうちの１つの具体的な数値のみに対応してもよい。ここで例を挙げない。
【０１１７】
更に、前記処理を実行する前に、第２通信ユニット４１は、前記ユーザ装置に設定情報を送信する。前記設定情報には、前記端末装置による前記宛先アドレス又は宛先アドレス識別子のデータ複製を許容するかに関する情報が含まれる。
【０１１８】
従って、前記設定情報が許容されることを示す場合、後続の処理を実行することができ、そうでなければ、データ複製を行わない。
【０１１９】
続いて、ユーザは、異なる宛先アドレス及び／又は宛先アドレス識別子を区別して利用して、ｄｕｐｌｉｃａｔｉｏｎのためのデータ量及び非ｄｕｐｌｉｃａｔｉｏｎのためのデータ量を報告する。
【０１２０】
更に、前記第２通信ユニット４１は、ユーザ装置からの前記複製データの優先度情報を取得する。その優先度情報は、実際の状況に応じて設定してもよい。異なる複製データは、異なる優先度に対応してもよい。
【０１２１】
また、ユーザ装置からの前記複製データの論理チャネル又は論理チャネルグループ情報を更に取得する。ここで、複製データがそれぞれ２つのＲＬＣエンティティに対応し、それぞれ異なる論理チャネルで送信されることが可能であるため、２つの複製データを送信しようとするＲＬＣエンティティが所在する論理チャネルを予めネットワーク側に報告する。また、複製データに対応する２つの論理チャネルがそれぞれ異なる論理チャネルグループに属する可能性があるため、複製データに対応する論理チャネルグループをネットワーク側に報告してもよい。
【０１２２】
シナリオ２において、論理チャネル又は論理チャネルグループを利用して区別する場合、
第２通信ユニット４１は、ユーザ装置に設定情報を送信し
前記設定情報には、ネットワーク側で設定された、複製データ及び非複製データと、異なる論理チャネル又は論理チャネルグループとの対応関係が含まれる。
【０１２３】
又は、
第２通信ユニット４１は、ユーザ装置に設定情報を送信し、
前記設定情報には、ネットワーク側で設定された、異なる論理チャネル又は論理チャネルグループと、データの信頼性要件情報との対応関係が含まれる。
【０１２４】
つまり、複製データ及び非複製データは、それぞれ異なる論理チャネル又は論理チャネルグループに対応する。又は、異なる信頼性要件（例えば、シンボル誤り率であってもよい）はそれぞれ異なる論理チャネル又は論理チャネルグループに対応する。
【０１２５】
説明すべきこととして、前記設定情報には、前記複製データの２つのＲＬＣエンティティにそれぞれ対応する論理チャネル又は論理チャネルグループが更に含まれる。つまり、複製データにおける対応する２つのＲＬＣエンティティは、それぞれ異なる論理チャネルに対応してもよいし、又は２つのＲＬＣエンティティが所在する論理チャネルはそれぞれ異なる論理チャネルグループに属する。
【０１２６】
更に、前記設定情報には、異なる論理チャネル、又は異なる論理チャネルグループに対応する優先度情報が更に含まれる。
【０１２７】
具体的には、異なる論理チャネル、異なる論理チャネルグループ、論理チャネル識別子、又は異なる論理チャネルグループ識別子にそれぞれ対応付けられる複製データのデータ量及び非複製データのデータ量を受信する。複製データに対応する２つのＲＬＣエンティティのそれぞれのデータ量、及び非複製データのデータ量は、それぞれ異なる論理チャネル、異なる論理チャネルグループ、論理チャネル識別子、又は異なる論理チャネルグループ識別子を利用して区別されてから、報告されると理解される。例えば、ユーザは、該設定に基づいて、ｄｕｐｌｉｃａｔｉｏｎのためのデータ及び非ｄｕｐｌｉｃａｔｉｏｎのためのデータを異なる論理チャネル（グループ）に対応付ける。ユーザは、異なる論理チャネル（グループ）及び／又は論理チャネル（グループ）識別子を区別して利用することでｄｕｐｌｉｃａｔｉｏｎのためのデータ量及び非ｄｕｐｌｉｃａｔｉｏｎのためのデータ量を報告する。
【０１２８】
また、シナリオ１と同様に、ネットワーク側は、特定の宛先アドレスのデータに対してｄｕｐｌｉｃａｔｉｏｎの利用を許容するかを制御することもでき、また特定の優先度に対するデータを制御することもできる。
【０１２９】
該論理チャネル（グループ）の設定は、優先度と組み合わせしてもよい。即ち、異なる論理チャネル（グループ）は、ｄｕｐｌｉｃａｔｉｏｎに用いられるかどうかに対応すると共に、異なる優先度にも対応する。
【０１３０】
複製データの受信について、具体的には、前記ネットワーク装置は、
前記複製データの２つのＲＬＣエンティティのデータ量がそれぞれ対応する異なる論理チャネル、異なる論理チャネル識別子、異なる論理チャネルグループ、又は異なる論理チャネルグループ識別子から、前記複製データの２つのＲＬＣエンティティのデータ量を取得する第２処理ユニット４２を更に備える。
【０１３１】
つまり、複製データにおける各ＲＬＣエンティティに対応する数量を、異なる論理チャネル識別子、論理チャネル、論理チャネルグループ、又は論理チャネルグループ識別子に対応付けて、ネットワーク側に報告する。
【０１３２】
また説明すべきこととして、前記２つのシナリオに記載される対応関係は、宛先アドレス、又は宛先アドレス識別子の相違によって、それぞれ異なる。つまり、異なる宛先アドレス又は異なる宛先アドレス識別子に対して、異なる信頼性要件と論理チャネル、又は論理チャネルグループとの対応関係を設定することができる。ここで、論理チャネル又は論理チャネルグループが信頼性要件に対応するか、又は異なる宛先アドレス又は宛先アドレス識別子に対応する信頼性要件情報の具体的な数値が異なってもよいことが含まれる。
【０１３３】
また、本実施例において、ネットワーク側に複製データ及び非複製データのデータ量の情報を送信して報告する時、２つの同じ優先度の複製データ及び非複製データのデータ量の情報が含まれると、下記処理方式で処理する。
【０１３４】
前記第２通信ユニットは、ユーザ装置から予め設定された順番で送信された、複製データ及び非複製データのデータ量の情報を受信し、
前記順番は、
複製データのデータ量の情報の報告送信を優先すること、
非複製データのデータ量の情報の報告送信を優先すること、
ネットワーク側への複製データ又は非複製データのデータ量の情報の報告送信を優先することを前記ユーザ装置が決定することのうちの１つである。
【０１３５】
具体的には、複製データ又は非複製データのデータ量の情報を報告する優先度が同じである場合、ユーザ装置から予め設定された順番で送信された複製データ及び非複製データのデータ量の情報を受信し、
複製データ又は非複製データのデータ量の情報を報告する優先度が異なる場合、ユーザ装置から優先度に応じて報告された複製データ及び非複製データのデータ量の情報を受信する。
【０１３６】
つまり、複製データ又は非複製データのデータ量の情報の優先度が異なる場合、予め設定された順番を比較せず、優先度に応じて受信すればよい。複製データ又は非複製データのデータ量の情報の優先度が同じである場合、上記方式で、優先して報告される情報の決定を行う。
【０１３７】
これから分かるように、上記技術的解決手段によれば、異なる論理チャネル、論理チャネルグループ、宛先アドレス又は宛先アドレス識別子を利用して複製データと非複製データのデータ量を区別してネットワーク側に送信することができる。これによりネットワーク側は、ＵＥ側の情報送信状況を知り得る。従って、ネットワーク側がＵＥから異なる伝送モードで伝送されたデータ量を把握することができないという課題を解決することができる。
【０１３８】
本発明の実施例は、ユーザ装置、又は受信側装置のハードウェア構成アーキテクチャを更に提供し、図５に示すように、少なくとも１つのプロセッサ５１と、メモリ５２と、少なくとも１つのネットワークインタフェース５３とを備える。各コンポーネントはバスシステム５４を介して結合される。バスシステム５４は、これらのコンポーネント間の接続及び通信を実現するために用いられることが理解されたい。バスシステム５４は、データバスに加えて、電源バスと、制御バスと、状態信号バスとを備える。明確にするために、図５において、様々なバスをバスシステム５４とする。
【０１３９】
本発明の実施例におけるメモリ５２は、揮発性メモリ又は不揮発性メモリであってもよいし、揮発性メモリと不揮発性メモリの両方を含んでもよいことが理解されたい。
【０１４０】
幾つかの実施態様において、メモリ５２には、オペレーティングシステム５２１及びアプリケーションプログラム５２２の実行可能なモジュール又はデータ構成、又はそれらの部分集合、それらの拡張集合が記憶されている。
【０１４１】
ここで、前記プロセッサ５１は、前記実施例１の方法のステップを実行できるように構成される。ここで詳細な説明を省略する。
【０１４２】
本発明の実施例は、コンピュータ記憶媒体を提供し、前記コンピュータ記憶媒体には、コンピュータで実行可能な命令が記憶されており、前記コンピュータで実行可能な命令が実行される時、前記実施例１の方法のステップが実施される。
【０１４３】
本発明の実施例における上記装置は、ソフトウェア機能モジュールの形式で実現され、且つ独立した製品として販売又は使用される時、１つのコンピュータ読み取り可能な記憶媒体中に記憶されていてもよい。このような理解に基づいて、本発明の実施例の技術的解決手段は、実質的に又は従来技術に貢献する部分は、ソフトウェア製品の形式で表現することができ、当該コンピュータソフトウェア製品は、１つの記憶媒体に記憶されて、若干の命令を含み、一台のコンピュータデバイス（例えば、パーソナルコンピュータ、サーバ、又はネットワークデバイス等）が本発明の各実施例に記述した方法の全て又は一部を実行するようにする。上述の記憶媒体は、Ｕディスク、リムーバブルハードディスク、読み出し専用メモリ（Ｒｅａｄ  Ｏｎｌｙ  Ｍｅｍｏｒｙ：ＲＯＭ）、磁気ディスク、又は光ディスクなどの、プログラムコードを記憶することができる各種の媒体を含んでも良い。このように、本発明の実施例は、ハードウェアとソフトウェアの任意の特定の組み合わせに限定されるものではない。
【０１４４】
それに対応して、本発明の実施例はコンピュータ記憶媒体を更に提供し、該コンピュータ記憶媒体にはコンピュータプログラムが記憶されており、該コンピュータプログラムは、本発明の実施例のデータスケジューリング方法を実行するように設定される。
【０１４５】
例示するために、既に本発明の好ましい実施例を開示したが、当業者は各種の改良、増加及び切り替えも可能なものであることを意識することができ、このため、本発明の範囲は上記実施例に限定しないべきである。
【図１】
2021510981.tif 000003
【図２】
2021510981.tif 000004
【図３】
2021510981.tif 000005
【図４】
2021510981.tif 000006
【図５】
2021510981.tif 000007
【国際調査報告】
2021510981.tif 000008
2021510981.tif 000009
2021510981.tif 000010
2021510981.tif 000011